(57)【特許請求の範囲】
【請求項１】
無線ＬＡＮ基地局から送信される電波の電界強度を検出する無線通信部と、
前記電界強度が記憶される電界強度記憶部と、
前記無線ＬＡＮ基地局を使用する場合において前記電界強度を前記電界強度記憶部から読み出し、該電界強度が予め定められた電界強度基準値より小さいか否かを判定する電界強度判定部と、
前記電界強度が前記電界強度基準値より小さいと判定されたなら、前記無線ＬＡＮ基地局と前記無線通信部を介して通信を行い通信速度を検出する通信速度検出部と、
前記通信速度を予め定められた表示装置に表示させる表示制御部と
を備える無線通信速度検出装置であって、
前記無線通信部は、
複数の無線ＬＡＮ基地局のそれぞれから送信される電波の電界強度並びに該電波に変調される無線ＬＡＮ基地局の識別情報を検出するものであり、
前記電界強度記憶部は、
前記電界強度並びに該電界強度に対応する識別情報の組を記憶するものであり、
前記無線通信速度検出装置は、
前記検出した識別情報の数に応じた選択肢を前記表示装置に表示させる画面表示部と、
予め定められた入力装置への操作内容に応じて１つの前記選択肢を選択する選択部とを備え、
前記電界強度判定部は、
前記選択された選択肢に対応する前記電界強度並びに識別情報の組を前記電界強度記憶部から読み出し、該電界強度が前記電界強度基準値より小さいか否かを判定するものであり、
前記通信速度検出部は、
前記電界強度が前記電界強度基準値より小さいと判定されたなら、前記読み出された識別情報を用いて該識別情報に対応する無線ＬＡＮ基地局と前記無線通信部を介して通信を行い通信速度を検出するものである
ことを特徴とする無線通信速度検出装置。
【請求項２】
前記通信速度検出部は、
前記無線通信部で受信された電波から変換された無線パケットをＩＰパケットに復号化する復号化部と、
該ＩＰパケットのネットワーク利用帯域を計測するネットワーク利用帯域計測部と
を備えることを特徴とする請求項１記載の無線通信速度検出装置。
【請求項３】
前記ネットワーク利用帯域計測部は、
前記復号化されたＩＰパケットの種類を判定するパケット判定部と、
前記パケット判定部によりＴＣＰパケットであると判定されたＩＰパケットのネットワーク利用帯域を計測するＴＣＰパケット計測部と、
前記パケット判定部によりＵＤＰパケットであると判定されたＩＰパケットのネットワーク利用帯域を計測するＵＤＰパケット計測部と
を備えることを特徴とする請求項２記載の無線通信速度検出装置。
【請求項４】
無線通信速度検出装置の無線通信部が、複数の無線ＬＡＮ基地局のそれぞれから送信される電波の電界強度並びに該電波に変調される無線ＬＡＮ基地局の識別情報を検出し、前記電界強度並びに該電界強度に対応する識別情報の組を予め定められた電界強度記憶部に記憶させる工程と、
前記無線通信速度検出装置の画面表示部が、前記検出した識別情報の数に応じた選択肢を予め定められた表示装置に表示させる工程と、
前記無線通信速度検出装置の選択部が、予め定められた入力装置への操作内容に応じて１つの前記選択肢を選択する工程と、
前記無線通信速度検出装置の通信速度検出部が、前記選択された選択肢に対応する前記電界強度並びに識別情報の組を前記電界強度記憶部から読み出し、該電界強度が予め定められた電界強度基準値より小さいか否かを判定する工程と、
前記無線通信速度検出装置の通信速度検出部が、前記電界強度が前記電界強度基準値より小さいと判定された場合において、前記読み出された識別情報を用いて該識別情報に対応する無線ＬＡＮ基地局と前記無線通信部を介して通信を行い通信速度を検出する工程と、
前記無線通信速度検出装置の表示制御部が、前記通信速度を前記表示装置に表示させる工程と
を備えることを特徴とする無線通信速度検出装置の動作方法。
【請求項５】
前記通信速度検出部が、前記無線通信部で受信された電波から変換された無線パケットをＩＰパケットに復号化し、該ＩＰパケットのネットワーク利用帯域を計測する工程
を備えることを特徴とする請求項４記載の無線通信速度検出装置の動作方法。
【請求項６】
前記ネットワーク利用帯域を計測する際に、前記復号化されたＩＰパケットの種類を判定し、ＴＣＰパケットであると判定されたＩＰパケットのネットワーク利用帯域を計測し、ＵＤＰパケットであると判定されたＩＰパケットのネットワーク利用帯域を計測する
ことを特徴とする請求項５記載の無線通信速度検出装置の動作方法。
【発明の詳細な説明】
【技術分野】
【０００１】
本発明は、無線通信速度検出装置およびその動作方法に関するものである。
【背景技術】
【０００２】
インターネット利用のためにＰＣ（パーソナルコンピュータ）をネットワークに接続する一形態として、無線ＬＡＮがある。無線ＬＡＮを利用する場合、環境によって電波状況は大きく異なり、わずかな条件の違いで無線ＬＡＮの通信速度が大きく変化する場合がある。例えば同じ部屋の中でも、場所によって高速に通信できる場合と、通信速度が遅くなる場合がある。そのため利用場所がわずかに変化するだけで、利用中に十分な通信速度が得られず、無線ＬＡＮを利用したサービスの利用に支障をきたす場合がある。
【０００３】
一般に、無線ＬＡＮの通信速度は、無線ＬＡＮ基地局から送信される電波を、無線ＬＡＮ端末がどの程度の強度（電界強度と呼ぶ）で受信するか、ならびに周囲において同じ周波数帯の電波が発生していないかによって変化する。特に同一周波数帯の電波が発生している場合、干渉が生じて、通信速度が大幅に低下する。そこで十分な通信速度が得られない場合には、電界強度を計測し、どの程度の強度で電波を受信しているか、また周囲で同じ周波数帯の電波が利用されていないかを調査する必要がある。
【０００４】
インターネット利用時の通信速度を確認する手段としては、ＰＣ等の端末よりインターネット上にある通信速度テストサーバにアクセスして、通信速度を計測する手法がある。この場合、ＰＣからサーバまでのエンド−エンド間の通信速度が計測できる。無線ＬＡＮ利用時のＰＣにおいても、通信速度テストサーバを利用して通信速度を計測することが可能であり、ユーザがネットワークが遅いと感じた際に、実際にはどの程度の速度が出ているのかを確認することが可能である。
【０００５】
このとき、実際にどの程度のパケットが伝送されているかを調査するためには、ネットワーク上を伝送されるパケットを取得し、パケットの個数およびパケット長からトラフィック量を計測するプロトコルモニタツールが知られている（ＷｉｒｅＳｈａｒｋ，  ｈｔｔｐ：／／ｗｗｗ．ｓｉｒｅｓｈａｒｋ．ｏｒｇ／参照）。
【０００６】
インターネット利用時の通信速度を確認する別の手段として、トラヒック発生装置を用いる方法もある。例えば複数のパケット送受信装置と、トラヒック制御装置から構成されるトラヒック発生システムをネットワークに接続し、あるパケット送受信装置が他のパケット送受信装置に向けたあらかじめ定められたパケットを送信する。パケットを受信したパケット送受信装置は、受信したパケットからネットワークの通信速度を確認する（特許文献１）。
【０００７】
インターネットの通信速度が遅いと感じた場合に、無線ＬＡＮアクセス機能を持つＰＣを用いて、無線ＬＡＮ経由で上述の通信速度テストサーバにアクセスし、ＰＣから無線ＬＡＮ経由でサーバまでの速度を計測する方法がある。
【０００８】
また、トラヒック発生装置を利用する場合も、同様に、無線ＬＡＮをネットワークの間に入れて、その両端間でトラヒックの発生およびパケットの受信を行うことで、通信速度の確認が可能である。
【０００９】
しかしながら、これらの手法では、通信速度は確認できても、通信速度が遅い場合に、原因を解明することはできない。そのため、本質的な改善は困難である。
【００１０】
一方、電界強度を計測し、電波の強さおよび周辺の電波状況を調べる手法では、計測地点における電波状況を把握することは可能であるが、把握した電波状況において、どの程度の通信速度を得られるかについて理解することはできない。
【００１１】
また、無線ＬＡＮは一般にＥｔｈｅｒｎｅｔ（登録商標）ケーブル等の有線ＬＡＮと比べて速度帯域が小さいことから、ＬＡＮ全体に広帯域のマルチキャストパケットが流れている場合など、有線ＬＡＮでは速度低下の要因にならなくても、無線ＬＡＮにおいて速度低下が発生する場合がある。この場合、単に通信速度や電界強度を計測しても原因の解明は困難であり、ネットワークを流れるパケットの診断が必要である。
【００１２】
上記の問題を解決するためには、電界強度を計測して、また必要に応じてネットワークの通信速度を計測する必要がある。また、得られたパケットをキャプチャして、解析を行う必要がある。これらを手動で行うのは操作者の労力を要し、また作業内容を熟知していないと、正確な状況の診断が難しいという問題がある。
【先行技術文献】
【特許文献】
【００１３】
【特許文献１】特開２００８−４８０９６号公報
【発明の概要】
【発明が解決しようとする課題】
【００１４】
本発明は、上記の課題を解決するためのものであり、電界強度を計測しただけでは、電波干渉が発生しているかは理解できるものの、実際のネットワーク通信速度は不明であり、またインターネットの通信速度テストサーバを用いて通信速度を計測しただけでは、伝播の状況が明らかでなく、対応が困難であるという問題を解決することを目的とする。
【課題を解決するための手段】
【００１５】
上記の課題を解決するために、第１の本発明は、無線ＬＡＮ基地局から送信される電波の電界強度を検出する無線通信部と、前記電界強度が記憶される電界強度記憶部と、前記無線ＬＡＮ基地局を使用する場合において前記電界強度を前記電界強度記憶部から読み出し、該電界強度が予め定められた電界強度基準値より小さいか否かを判定する電界強度判定部と、前記電界強度が前記電界強度基準値より小さいと判定されたなら、前記無線ＬＡＮ基地局と前記無線通信部を介して通信を行い通信速度を検出する通信速度検出部と、前記通信速度を予め定められた表示装置に表示させる表示制御部とを備える無線通信速度検出装置であって、前記無線通信部は、複数の無線ＬＡＮ基地局のそれぞれから送信される電波の電界強度並びに該電波に変調される無線ＬＡＮ基地局の識別情報を検出するものであり、前記電界強度記憶部は、前記電界強度並びに該電界強度に対応する識別情報の組を記憶するものであり、前記無線通信速度検出装置は、前記検出した識別情報の数に応じた選択肢を前記表示装置に表示させる画面表示部と、予め定められた入力装置への操作内容に応じて１つの前記選択肢を選択する選択部とを備え、前記電界強度判定部は、前記選択された選択肢に対応する前記電界強度並びに識別情報の組を前記電界強度記憶部から読み出し、該電界強度が前記電界強度基準値より小さいか否かを判定するものであり、前記通信速度検出部は、前記電界強度が前記電界強度基準値より小さいと判定されたなら、前記読み出された識別情報を用いて該識別情報に対応する無線ＬＡＮ基地局と前記無線通信部を介して通信を行い通信速度を検出するものであることを特徴とする。
【００１７】
例えば、前記通信速度検出部は、前記無線通信部で受信された電波から変換された無線パケットをＩＰパケットに復号化する復号化部と、該ＩＰパケットのネットワーク利用帯域を計測するネットワーク利用帯域計測部とを備える。
【００１８】
例えば、前記ネットワーク利用帯域計測部は、前記復号化されたＩＰパケットの種類を判定するパケット判定部と、前記パケット判定部によりＴＣＰパケットであると判定されたＩＰパケットのネットワーク利用帯域を計測するＴＣＰパケット計測部と、前記パケット判定部によりＵＤＰパケットであると判定されたＩＰパケットのネットワーク利用帯域を計測するＵＤＰパケット計測部とを備える。
【００２０】
第２の本発明は、無線通信速度検出装置の無線通信部が、複数の無線ＬＡＮ基地局のそれぞれから送信される電波の電界強度並びに該電波に変調される無線ＬＡＮ基地局の識別情報を検出し、前記電界強度並びに該電界強度に対応する識別情報の組を予め定められた電界強度記憶部に記憶させる工程と、前記無線通信速度検出装置の画面表示部が、前記検出した識別情報の数に応じた選択肢を予め定められた表示装置に表示させる工程と、前記無線通信速度検出装置の選択部が、予め定められた入力装置への操作内容に応じて１つの前記選択肢を選択する工程と、前記無線通信速度検出装置の通信速度検出部が、前記選択された選択肢に対応する前記電界強度並びに識別情報の組を前記電界強度記憶部から読み出し、該電界強度が予め定められた電界強度基準値より小さいか否かを判定する工程と、前記無線通信速度検出装置の通信速度検出部が、前記電界強度が前記電界強度基準値より小さいと判定された場合において、前記読み出された識別情報を用いて該識別情報に対応する無線ＬＡＮ基地局と前記無線通信部を介して通信を行い通信速度を検出する工程と、前記無線通信速度検出装置の表示制御部が、前記通信速度を前記表示装置に表示させる工程とを備えることを特徴とする。
【００２１】
例えば、前記無線通信速度検出装置の動作方法は、前記通信速度検出部が、前記無線通信部で受信された電波から変換された無線パケットをＩＰパケットに復号化し、該ＩＰパケットのネットワーク利用帯域を計測する工程を備える。
【００２２】
例えば、前記ネットワーク利用帯域を計測する際に、前記復号化されたＩＰパケットの種類を判定し、ＴＣＰパケットであると判定されたＩＰパケットのネットワーク利用帯域を計測し、ＵＤＰパケットであると判定されたＩＰパケットのネットワーク利用帯域を計測する。
【発明の効果】
【００２３】
本発明によれば、電界強度を計測しただけでは、電波干渉が発生しているかは理解できるものの、実際のネットワーク通信速度は不明であり、またインターネットの通信速度テストサーバを用いて通信速度を計測しただけでは、伝播の状況が明らかでなく、対応が困難であるという問題を解決することができる。
【図面の簡単な説明】
【００２４】
【図１】本実施の形態に係る無線通信速度検出装置の概略構成を示すブロック図である。
【図２】通信速度検出部１９の概略構成を示すブロック図である。
【図３】ネットワーク利用帯域計測部１９６の構成を示すブロック図である。
【図４】電界強度記憶部１５の構成を示す図である。
【図５】ＳＳＩＤを含む選択肢の表示例を示す図である。
【発明を実施するための形態】
【００２５】
以下、本発明の実施の形態について図面を参照して説明する。
【００２６】
図１は、本実施の形態に係る無線通信速度検出装置の概略構成を示すブロック図である。
【００２７】
無線通信速度検出装置１は、無線ＬＡＮの通信速度を検出するものであり、周囲には複数の無線ＬＡＮ基地局Ｗが存在している。無線ＬＡＮの通信方式としては、ＩＥＥＥ８０２．１１  ａ／ｂ／ｇ／ｎなどがある。なお、通信方式の異なる複数の無線ＬＡＮ基地局が同一の装置内に設けられることもある。
【００２８】
各無線ＬＡＮ基地局Ｗは、インターネットなどの通信網Ｎに接続され、通信網Ｎには通信速度テストサーバＴＳが接続されている。
【００２９】
無線通信速度検出装置１は、ユーザ（図示せず）により操作されるキーボードやマウスなどの入力装置１１と、ユーザの前に配置された表示装置１２と、各無線ＬＡＮ基地局Ｗから電波を受信するアンテナ１３と、受信された電波の電界強度を検出する無線通信部１４と、検出された電界強度が記憶される電界強度記憶部１５と、無線ＬＡＮ基地局Ｗを選択するための選択肢を表示装置１２に表示させる画面表示部１６と、入力装置１１への操作内容に応じて１つの選択肢を選択する選択部１７と、選択された選択肢に対応する電界強度が予め記憶した電界強度基準値ＴＨより小さいか否かを判定する電界強度判定部１８と、電界強度が電界強度基準値ＴＨより小さいと判定されたなら通信速度テストサーバＴＳとの通信を行い通信速度を検出する通信速度検出部１９と、検出された通信速度等を表示装置１２に表示させる表示制御部１１０とを備える。
【００３０】
図２は、通信速度検出部１９の概略構成を示すブロック図である。
【００３１】
通信速度検出部１９は、選択された選択肢に対応する無線ＬＡＮ基地局Ｗを示す識別情報（Ｓｅｒｖｉｃｅ  Ｓｅｔ  Ｉｄｅｎｔｉｆｉｅｒ：以下、Ｓｅｒｖｉｃｅ  Ｓｅｔ  ＩｄｅｎｔｉｆｉｅｒをＳＳＩＤという）が記憶されるＳＳＩＤ記憶部１９１と、無線通信部１４から無線パケットを受信する無線パケット受信部１９２と、受信された無線パケットからＳＳＩＤ記憶部１９１に記憶されたＳＳＩＤを含むものを選択する無線パケット選択部１９３と、選択された無線パケットを複号化してＩＰパケットにする複号化部１９４と、復号化に必要なＩＤやパスワードなどの復号化情報が予め記憶される復号化情報記憶部１９５と、復号化されたＩＰパケットのネットワーク利用帯域を計測するネットワーク利用帯域計測部１９６とを備える。
【００３２】
図３は、ネットワーク利用帯域計測部１９６の構成を示すブロック図である。
【００３３】
ネットワーク利用帯域計測部１９６は、復号化されたＩＰパケットの種類を判定するパケット判定部１９６１と、パケット判定部１９６１から転送されるパケットの種類別にネットワーク利用帯域を計測するパケット種類別ネットワーク利用帯域計測部１９６２とを備える。
【００３４】
パケット種類別ネットワーク利用帯域計測部１９６２は、パケット判定部１９６１によりＴＣＰパケットであると判定されたＩＰパケットのネットワーク利用帯域を計測するＴＣＰパケット計測部１９６２１と、パケット判定部１９６１によりＵＤＰパケットであると判定されたＩＰパケットのネットワーク利用帯域を計測するＵＤＰパケット計測部１９６２２とを備える。
【００３５】
図４は、電界強度記憶部１５の構成を示す図である。
【００３６】
電界強度記憶部１５は、電界強度並びに該電界強度に対応するＳＳＩＤの組を記憶するようになっている。具体的には、電界強度記憶部１５は、各通信チャネルＣＨ１、ＣＨ２、…ごとのレコードを有する。各レコードには、該当の通信チャネルを介して該当の無線ＬＡＮ基地局Ｗから送信される電波の電界強度並びに該電波に変調される当該無線ＬＡＮ基地局ＷのＳＳＩＤの組が１以上記憶される。
【００３７】
同じ無線ＬＡＮ基地局Ｗが複数の通信チャネルを介して電波を送信することがあり、よって、複数のレコードに含まれる電界強度とＳＳＩＤの組において各ＳＳＩＤが同じになる場合がある。
【００３８】
（無線通信速度検出装置１の動作）
次に、無線通信速度検出装置１の動作を説明する。
【００３９】
アンテナ１３は、各無線ＬＡＮ基地局Ｗから送信される電波を受信し、該電波の周波数帯に応じた信号に変換して無線通信部１４に送信する。
【００４０】
次に、無線通信部１４は、アンテナ１３からの信号から該当の電波の電界強度並びに該電波に変調された通信チャネル番号およびＳＳＩＤを検出する。また、無線通信部１４は、アンテナ１３からの信号を無線パケットに変換し、通信速度検出部１９に送信する。
【００４１】
無線通信部１４は、これを各周波数帯および各無線ＬＡＮ基地局について行う。
【００４２】
次に、無線通信部１４は、電界強度記憶部１５から、各通信チャネル番号に対応するレコードを検索し、該レコードに該当の電界強度並びに該当のＳＳＩＤの組を記憶させる。
【００４３】
次に、画面表示部１６は、図５に示すように、無線通信部１４により検出された各ＳＳＩＤにつき、例えば該ＳＳＩＤを含む選択肢ＳＬ１、ＳＬ２、…を表示装置１２に表示させる。なお、選択肢は、該当の通信チャネル番号や電界強度を含んでもよい。
【００４４】
表示装置１２に表示された選択肢を見たユーザは、例えば、所望の無線ＬＡＮ基地局Ｗに対応する選択肢ＳＬ１にマウスカーソルを移動させてクリックする操作を入力装置１１に行う。
【００４５】
次に、選択部１７は、入力装置１１への上記のような操作内容に基づいて、例えば選択肢ＳＬ１がクリックされたことを検出し、つまり、該当のＳＳＩＤを選択し、該ＳＳＩＤを通信速度検出部１９のＳＳＩＤ記憶部１９１に記憶させる。
【００４６】
次に、電界強度判定部１８が、そのＳＳＩＤを含む電界強度並びにＳＳＩＤの組を電界強度記憶部１５から読み出し、該電界強度が電界強度基準値ＴＨより小さいか否かを判定する。なお、電界強度判定部１８は、複数のレコードで各ＳＳＩＤが同じになる場合など、つまり、該当の電界強度が複数ある場合は、その中央値を求め、電界強度の中央値が電界強度基準値ＴＨより小さいか否かを判定する。
【００４７】
ここで、電界強度が電界強度基準値ＴＨ以上と判定されたなら、処理が終わる。
【００４８】
一方、電界強度が電界強度基準値ＴＨより小さいと判定されたなら、通信速度検出部１９が、まず、無線通信部１４を介して、当該ＳＳＩＤに対応する無線ＬＡＮ基地局Ｗとの通信を確立する。次に、通信速度検出部１９は、無線通信部１４と無線ＬＡＮ基地局Ｗを介して、通信速度テストサーバＴＳとの通信を行い通信速度を検出する。ここで通信速度検出部１９は、具体的には、予め定めたサイズＳのデータを通信速度テストサーバＴＳへ送信し、または通信速度テストサーバＴＳから受信し、その際の所用時間Ｔを計測し、通信速度Ｓ／Ｔを求める。なお、送信と受信では通信速度が異なるので両方を求めるのが好ましい。
【００４９】
次に、通信速度検出部１９は、検出した通信速度を表示制御部１１０に通知する。
【００５０】
また、通信速度検出部１９では、無線パケット受信部１９２が、無線通信部１４から送信される無線パケットを受信し無線パケット選択部１９３に転送する。無線パケット選択部１９３は、ＳＳＩＤ記憶部１９１からＳＳＩＤを読み出し、転送された無線パケットからＳＳＩＤを含む無線パケットを選択し複号化部１９４に転送する。複号化部１９４は、復号化情報記憶部１９５から復号化情報を読み出し、転送された無線パケットを復号化情報を使用して複号化しつまりＩＰパケットにしてネットワーク利用帯域計測部１９６に転送する。
【００５１】
ネットワーク利用帯域計測部１９６は、転送されたＩＰパケットのネットワーク利用帯域を計測する。
具体的にネットワーク利用帯域計測部１９６では、パケット判定部１９６１が、復号化されたＩＰパケットのヘッダを解析してＩＰパケットの種類を判定し、ＴＣＰパケットおよびＵＤＰパケットのいずれでもないＩＰパケットを無視し、ＴＣＰパケットとＵＤＰパケットをパケット種類別ネットワーク利用帯域計測部１９６２へ転送する
パケット種類別ネットワーク利用帯域計測部１９６２は、ＴＣＰパケットをＴＣＰパケット計測部１９６２１へ、ＵＤＰパケットをＵＤＰパケット計測部１９６２２へ転送し、ＴＣＰパケットの個数とＵＤＰパケットの個数を集計する。
【００５２】
ＴＣＰパケット計測部１９６２１は、転送されたＴＣＰパケットのネットワーク利用帯域を計測する。例えば、ＴＣＰパケット計測部１９６２１は、ＴＣＰパケットの個数およびパケット長を計測する。
【００５３】
ＵＤＰパケット計測部１９６２２は、転送されたＵＤＰパケットのネットワーク利用帯域を計測する。例えば、ＵＤＰパケット計測部１９６２２は、ＵＤＰパケットの個数およびパケット長を計測する。
【００５４】
ネットワーク利用帯域計測部１９６は、計測されたネットワーク利用帯域を表示制御部１１０に通知する。
【００５５】
次に、表示制御部１１０は、通信速度検出部１９から通知された通信速度およびネットワーク利用帯域を画面表示部１６を介して、表示装置１２に表示させる。
【００５６】
したがって、無線通信速度検出装置１によれば、選択した無線ＬＡＮ基地局からの電波の電界強度が電界強度基準値ＴＨ以上なら通信速度は表示されず、これによりユーザは電界強度が強いことを知ることができ、一方、電界強度が電界強度基準値ＴＨより小さいなら通信速度が表示され、これによりユーザは電界強度が弱いことと実際の通信速度を知ることができる。
【００５７】
また、無線通信速度検出装置１によれば、ＩＰパケットの種類を判定し、ＴＣＰパケットのネットワーク利用帯域と、ＵＤＰパケットのネットワーク利用帯域を計測するので、ＴＣＰパケットとＵＤＰパケットの扱いが異なる無線ＬＡＮにおいては、利便性が高い。  その理由は以下の通りである。
【００５８】
ＵＤＰパケットは、マルチキャストで送信されると、帯域に影響を及ぼし、他のサービスの通信速度が低下する場合がある。
【００５９】
そこで、ＴＣＰパケット、ＵＤＰパケットのネットワーク利用帯域をそれぞれ計測することで、ＵＤＰパケットのネットワーク利用帯域が高い場合は、周囲で映像サービスの視聴がなされ、そのためのＲＴＰパケット（ＵＤＰパケットの一種）が大量に発生しているような状況を疑うことができ、原因究明がなされた際には、ネットワーク構成の変更などの対応を講じることができる。
【００６０】
なお、本実施の形態に係る無線通信速度検出装置１としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００６１】
１…無線通信速度検出装置
１１…入力装置
１２…表示装置
１３…アンテナ
１４…無線通信部
１５…電界強度記憶部
１６…画面表示部
１７…選択部
１８…電界強度判定部
１９…通信速度検出部
１１０…表示制御部
１９１…ＳＳＩＤ記憶部
１９２…無線パケット受信部
１９３…無線パケット選択部
１９４…複号化部
１９５…復号化情報記憶部
１９６…ネットワーク利用帯域計測部
１９６１…パケット判定部
１９６２…パケット種類別ネットワーク利用帯域計測部
１９６２１…ＴＣＰパケット計測部
１９６２２…ＵＤＰパケット計測部
Ｎ…通信網
ＴＳ…通信速度テストサーバ
Ｗ…無線ＬＡＮ基地局
【図１】
0005385879.tif 000002
【図２】
0005385879.tif 000003
【図３】
0005385879.tif 000004
【図４】
0005385879.tif 000005
【図５】
0005385879.tif 000006